(57)【要約】【課題】枚数が多い場合も少ない場合も確実に紙葉を保持するメモ帳カバーを提供する。【解決手段】メモ帳カバーのマチ部上下に紐を設け、その紐には紐留めを設ける。紐留めの位置を変えることによりカバー本体裏側と紐との間隙を調節することができる。この紐を２つ折りにした紙葉で挟むことで紙葉をカバー本体に保持する。紐留めにより紙葉を保持する張力を自在に調整することができるので、枚数が多い場合も少ない場合も確実に紙葉を保持することができる。【選択図】図３
0003159732.tif 000002
【実用新案登録請求の範囲】
【請求項１】
２つ折りにしたメモ用紙やノートなどを挟んで保持するカバーであって、
２つ折りされるカバー本体のマチ上部に一端を固定され、下部に他の一端を固定された紐と、
その紐の２箇所を１箇所に束ねる紐留めと、
を設けたことを特徴とするメモ帳カバー。
【請求項２】
２つ折りにしたメモ用紙やノートなどを挟んで保持するカバーであって、
２つ折りされるカバー本体のマチ上部に一端を固定された紐と、
マチ下部に一端を固定された紐と、
マチ上部に固定された紐と下部に固定された紐を１箇所に束ねる紐留めと、
を設けたことを特徴とするメモ帳カバー。
【請求項３】
２つ折りにしたメモ用紙やノートなどを挟んで保持するカバーであって、
２つ折りされるカバー本体のマチはカバー部材が２以上に重なっており、その重なったカバー部材の間で両端を接続された紐と、
その紐の２箇所を１箇所に束ねる紐留めと、
を設けたことを特徴とするメモ帳カバー。
【請求項４】
２つ折りにしたメモ用紙やノートなどを挟んで保持するカバーであって、
２つ折りされるカバー本体のマチはカバー部材が２以上に重なっており、その重なったカバー部材の間をマチに沿って通した紐と、
マチ上部から出ている紐と下部から出ている紐を１箇所に束ねる紐留めと、
を設けたことを特徴とするメモ帳カバー。
【請求項５】
２つ折りにしたメモ用紙やノートなどを挟んで保持するカバーであって、
２つ折りされるカバー本体のマチ下部に一端を固定された紐と、
そのマチ下部に固定された紐を通す紐留めであってマチ上部に固定されたものと、
を設けたことを特徴とするメモ帳カバー。
【請求項６】
紐留めがカバー本体と接する部分が、通された紐を軸とした任意の回転について回転対象性を持つ形状であることを特徴とする請求項１から請求項５のいずれか１項に記載されたメモ帳カバー。
【考案の詳細な説明】
【技術分野】
【０００１】
本考案は、不要となった紙の裏をメモとして再利用する場合に、その１枚以上の紙葉を綴じ込むメモ帳カバーに関するものである。
【背景技術】
【０００２】
オフィスにおいてＰＣ（パーソナルコンピュータ）とプリンタが普及した結果、印刷に失敗したり使用済みになったりした紙が大量に発生するようになった。こうした紙で裏面が白紙のものは、いわゆる裏紙と呼ばれており、環境保護意識が高まるなかで、このような裏紙をいかにして再利用するか近年の課題となっている。
【０００３】
例えば、再度プリンタやコピー機の用紙に使用することもその再利用案のひとつであるが、紙詰まりの原因になり易く、また、印字された紙は両面に異なる情報が印字されているため、どちらが表かわからない、という事態が生じてしまうことから、敬遠されることが多い。
【０００４】
こうした状況のなかで、裏紙をメモ用紙として再利用したいという要請が高まっている。
【０００５】
裏紙をメモ用紙として再利用する場合、１枚毎ばらばらになっている裏紙をどのようにして綴じて持ち運びに適するようにするのか、メモの内容とは関係のない表面の印字等をどのようにして見えないようにするかが課題となる。
【０００６】
このような場合、白紙面を内側に２つ折りにしてメモ帳カバーに挟み込んで保持する方法が適している。メモ帳カバーを閉じているときは、表面が見えず、メモ帳カバーを開くと白紙面が開くからである。
【０００７】
このような構造は、例えば特開昭６３−６２７９８号公報に記載されている手帳として知られている。すなわち、背表紙の上端と下端にゴム紐を固定し、そのゴム紐と背表紙内側部との間で、複数枚の紙葉を綴じたメモ用紙の綴じ合わせ部を挟持するという構造である。
【先行技術文献】
【特許文献】
【０００８】
【特許文献１】特開昭６３−６２７９８号公報
【考案の概要】
【考案が解決しようとする課題】
【０００９】
通常、手書きでメモをとった後その情報はＰＣに議事録等の形式で入力され、メモした紙を保存する必要性は少ない。裏紙にメモをした場合もこの例にもれず、議事録等作成後破棄されることとなる。すなわち、裏紙のメモは、頻繁にその紙葉の枚数が増減するという特徴を有することとなる。
【００１０】
前記手帳を裏紙によるメモ用紙に利用する場合、そのメモ用紙を挟持する力の強さは、ゴム紐の張力に依存し、そのゴム紐の張力は、ゴム紐の伸びに依存する。
従って、メモ用紙である紙葉の枚数が少ないとゴム紐があまり伸びず、前記手帳がメモ用紙を挟持する力が弱くなるという問題点がある。
【００１１】
この問題点に対処するため、ゴム紐の張力を強くして張っておくことが考えられるが、その張力に対抗するためカバー本体の強度を上げる必要があり、カバー部材の重量や容積がかさむという別の弊害が生ずることとなる。
【００１２】
また、裏紙によるメモ用紙をゴム紐に挟む際、ゴム紐を引っ張って背表紙内側部との間隙を広げる必要があるため、通常時はゴム紐が伸びる余地を残しておかなければならない。すなわち、メモ用紙を挟んだ状態でのゴム紐は張力が弱い状態であり、メモ用紙をしっかり保持することができないという問題点もあることとなる。
【００１３】
以上のような課題を解決するため、本考案は、メモ帳カバーのマチに紐と紐留めを設け、カバー本体裏側と紐との間隙を調節することで、容易に紙葉を追加したり取り外したりすることができ、しかも、枚数が多い場合も少ない場合も確実に紙葉を保持するメモ帳カバーを提供することを目的とする。
【課題を解決するための手段】
【００１４】
（第１の考案）
第１の考案に係るメモ帳カバーは、２つ折りにしたメモ用紙やノートなどを挟んで保持するカバーであって、２つ折りされるカバー本体のマチ上部に一端を固定され下部に他の一端を固定された紐と、その紐の２箇所を１箇所に束ねる紐留めと、を設けたことを特徴とする。
【００１５】
（第２の考案）
第２の考案に係るメモ帳カバーは、２つ折りにしたメモ用紙やノートなどを挟んで保持するカバーであって、２つ折りされるカバー本体のマチ上部に一端を固定された紐と、マチ下部に一端を固定された紐と、マチ上部に固定された紐と下部に固定された紐を１箇所に束ねる紐留めと、を設けたことを特徴とする。
【００１６】
（第３の考案）
第３の考案に係るメモ帳カバーは、２つ折りにしたメモ用紙やノートなどを挟んで保持するカバーであって、２つ折りされるカバー本体のマチ部分はカバー部材が２以上に重なっており、その重なったカバー部材の間で両端を接続された紐と、その紐の２箇所を１箇所に束ねる紐留めと、を設けたことを特徴とする。
【００１７】
（第４の考案）
第４の考案に係るメモ帳カバーは、２つ折りにしたメモ用紙やノートなどを挟んで保持するカバーであって、２つ折りされるカバー本体のマチ部分はカバー部材が２以上に重なっており、その重なったカバー部材の間をマチに沿って通した紐と、マチ上部から出ている紐と下部から出ている紐を１箇所に束ねる紐留めと、を設けたことを特徴とする。
【００１８】
第５の考案に係るメモ帳カバーは、２つ折りにしたメモ用紙やノートなどを挟んで保持するカバーであって、２つ折りされるカバー本体のマチ下部に一端を固定された紐と、そのマチ下部に固定された紐を通す紐留めであってマチ上部に固定されたものと、を設けたことを特徴とする。
【００１９】
第６の考案に係るメモ帳カバーは、第１の考案から第５の考案のいずれか１の考案に係るカバーであって、紐留めがカバー本体と接する部分が、通された紐を軸とした任意の回転について回転対象性を持つ形状であることを特徴とする。
【考案の効果】
【００２０】
本考案によれば、マチの上下に固定された紐における紐留めの位置を変更することによって、カバー本体裏側と紐との間隙を自在に調整することができるので、紐を緩めた状態にすることで容易に紙葉を追加したり、取り外したりすることができる。そして、そこに差し込んだ紙葉の枚数に応じた適切な張力で紙葉を締め付けることができるので、枚数が多い場合も少ない場合も確実に紙葉を保持することができる。
【００２１】
通常、手書きでメモをとった後その情報はＰＣに議事録等の形式で入力され、メモした紙は破棄されることから、裏紙のメモ帳は頻繁にその紙葉の枚数が増減するという特徴を有するが、本考案によれば、枚数が増減してもその都度適切な張力で紙葉を締め付けることができる。
【００２２】
マチに固定された紐は、紐留めで束ねられた後は１本につながってループ状になっていても、２本に分かれていても、いずれの場合もカバー本体裏側と紐との間隙を自在に調整することができる。従って、カバーを縫製する場合に、縫製のじゃまにならないような形態を採用することができるので、カバー製造の難易度を下げる効果がある。
また、カバーデザインの自由度を上げる効果もある。
【００２３】
マチ部分のカバー部材を２以上に重ね、その間に紐を通すことで、紐を確実にカバー部材に固定しなくてもメモ帳を締め付けることができるので、カバー製造の難易度を下げる効果がある。
【００２４】
紐留めはマチの端に固定されていれば、マチの他端に固定された紐によりメモ帳を締め付けることができるので、カバーデザインの自由度を上げ、また、カバー製造の難易度を下げる効果がある。
【００２５】
紐留めの形状を、通された紐を軸とした任意の回転について回転対称性を持つ形状とすることで、カバーを開閉する際、ひっかかりをなくす効果がある。
【図面の簡単な説明】
【００２６】
【図１】本考案に係る実施例であるメモ帳カバーを閉じた状態を示した説明図である。
【図２】本考案に係る実施例であるメモ帳カバーで、カバーを開き、まだメモの紙葉を挟む前の状態を示した説明図である。
【図３】本考案に係る実施例であるメモ帳カバーで、メモの紙葉を挿入した状態を示した説明図である。
【図４】本考案に係る実施例であるメモ帳カバーで、紐で紙葉を締め付けた状態を示した説明図である。
【図５】本考案に係る実施例であるメモ帳カバーで、紐が全体として２本である場合の状態を示した説明図である。
【図６】本考案に係る実施例であるメモ帳カバーで、カバー部材が２重になったマチの中を紐が通っている状態を示した説明図である。
【図７】本考案に係る実施例であるメモ帳カバーで、紐留が背表紙内側の上部に固定されており、そこへ背表紙内側の下部に固定された紐が通っている状態を示した説明図である。
【図８】本考案に係る実施例であるメモ帳カバーに使用する紐留の構造を示した説明図である。
【図９】本考案に係る実施例であるメモ帳カバーを閉じた状態で、（イ）は表紙側から見た図であり、（ロ）は、（イ）においてＡの方向から見た図である。
【考案を実施するための形態】
【００２７】
メモ帳カバーのマチに紐と紐留めを設け、カバー本体裏側と紐との間隙を調節することで紙葉を保持する張力を調整し、枚数が多い場合も少ない場合も確実に紙葉を保持するという目的を実現した。
【実施例】
【００２８】
図１は、本考案に係る実施例であるメモ帳カバーで、閉じた状態を示している。カバー本体を２つ折りにし、そこに紙葉を挟み込んで使用する。
【００２９】
図２は、メモ帳カバーを開いた状態を示している。２つ折りにするカバー本体の折り目部分がマチ３になっている。
【００３０】
マチ３の上側と下側に紐４の両端が縫製により固定されている。紐４は、縫製に限らず、接着剤や金具によるカシメなどによっても固定することができる。
【００３１】
紐４の途中の２箇所が紐留め５により１箇所に束ねられている。紐飾り６は装飾的な役割だけでなく、紐留め５が紐４から脱落するのを防止する効果及び、紐留め５により紐４を締めるときに紐４を持つ手を滑り難くするという実用的な効果を有している。
【００３２】
図８は、紐留め５の構造を示している。
（イ）はバネを使用する紐留めの例であり、（ロ）はバネを使用しない紐留めの例を示している。
【００３３】
（イ）のバネを使用する紐留めにおいては、外側部材５ａに開けられた穴にバネ５ｃ、内側部材５ｂが矢印のように挿入された構造であり、内側部材５ｂは指の力で容易に擦動できる。そして、外側部材５ａと内側部材５ｂには、内側部材５ｂが挿入された穴に直交する形で、紐４が２本通る大きさの紐穴が貫通しており、この穴に紐４が通される。
【００３４】
紐４を通すときは、内側部材５ｂを押し込み、紐４と紐留め５の摩擦を少なくした状態にする。
紐４を通した状態で、内側部材５ｂにかけた力を緩めると、内側部材５ｂは、バネ５ｃの力で紐４を外側部材５ａに押し付ける状態となり、摩擦力が大きくなって、紐留め５は紐４に固定される。
【００３５】
（ロ）のバネを使用しない紐留めにおいて、紐留め５は例えば革を縫製して、紐４を２本通す構造をしている。
通常時は摩擦力で紐留め５は紐４に固定されており、その摩擦力より大きな力を加えることで紐留め５を移動させることができる。
【００３６】
このようにして紐留め５は自在に紐４を束ねる位置を移動させることができるので、カバー本体裏側と紐４とでできる間隙の大きさを調整することができるのである。
【００３７】
紐留め５の構造は、ここに例示したものに限らず、紐４を束ねる位置を移動させることができるものであれば十分である。
【００３８】
図３は、マチ３とゆるめた紐４との間隙に２つ折りにした紙葉７を滑り込ませた状態を示した図である。
不要になった紙葉を引き抜くときもこの状態になる。
【００３９】
図４は、紐留め５により紐４を締めて紙葉７をメモ帳カバーに固定した状態を示した図である。ここで、紙葉７がノートであっても同様にメモ帳カバーに固定することができる。その場合、紐４はノートをカバーに固定する部材であるとともに、しおりの効果も有することとなる。紐４を通したページが開き易くなるからである。
【００４０】
図５は、本考案に係る実施例であるメモ帳カバーにおいて、紐４が紐４ａと紐４ｂの２本で構成されている場合を示している。紐４ｂが紐留め５をカバーに固定し、紐４ａが紐留め５により紙葉７をカバーに固定する効果を有している。
【００４１】
図６は、本考案に係る実施例であるメモ帳カバーにおいて、紐４をカバー本体に固定する構造を示している。
マチ３の部分はカバーの部材が少なくとも２以上重なっていて、紐４はその間を通している。そして、紐４の両端は、カシメ金具８により接続されている。
図５のように、紐４が紐留め５で束ねられた後分離している場合は、当然のことながらカシメ金具８による接続は不要である。
【００４２】
カバー本体を、例えば革を縫製して製造する場合、紐４があると縫製が困難な場合もあるが、このような構造であれば、カバー本体を縫製した後に紐４を通すことができるので、製造の難易度を下げる効果がある。
【００４３】
なお、紐４の両端の接続は、カシメ金具８でなくても、紐４の素材によっては、溶着や接着剤による接着、あるいは単に結ぶことによっても良い。
【００４４】
図７は、本考案に係る実施例であるメモ帳カバーにおいて、紐留め５をマチ３の上部に固定しておき、そこにマチ３の下側に固定された紐４を通した状態の説明図である。
【００４５】
図９は、本考案に係る実施例であるメモ帳カバーにおいて、紙葉７を綴じ込み、表紙を閉じた状態を示した図である。
カバー本体１の大きさが紙葉７より大きな場合、紐留め５は、その分だけカバー本体１よりも紙葉７側に沈み込む状態になる。
【００４６】
このとき、紐留め５がカバー本体１に接する部分が、紐４を軸とした任意の回転について回転対象性をもつ形状であるから、カバーを開閉しても、紐留め５がカバー本体１に引っ掛かることがない。
【符号の説明】
【００４７】
１    カバー本体表面
２    カバー本体裏面
３    マチ
４    紐
５    紐留め
６    紐飾り
７    紙葉
８    カシメ金具
【図１】
0003159732.tif 000003
【図２】
0003159732.tif 000004
【図３】
0003159732.tif 000005
【図４】
0003159732.tif 000006
【図５】
0003159732.tif 000007
【図６】
0003159732.tif 000008
【図７】
0003159732.tif 000009
【図８】
0003159732.tif 000010
【図９】
0003159732.tif 000011
【手続補正書】
【提出日】平成22年3月20日(2010.3.20)
【手続補正１】
【補正対象書類名】実用新案登録請求の範囲
【補正対象項目名】全文
【補正方法】変更
【補正の内容】
【実用新案登録請求の範囲】
【請求項１】
２つ折りにしたメモ用紙やノートを挟んで保持するカバーであって、
２つ折りされるカバー本体のマチ上部に一端を固定され、下部に他の一端を固定された紐と、
その紐の２箇所を１箇所に束ねる紐留めと、
を設けたことを特徴とするメモ帳カバー。
【請求項２】
２つ折りにしたメモ用紙やノートを挟んで保持するカバーであって、
２つ折りされるカバー本体のマチ上部に一端を固定された紐と、
マチ下部に一端を固定された紐と、
マチ上部に固定された紐と下部に固定された紐を１箇所に束ねる紐留めと、
を設けたことを特徴とするメモ帳カバー。
【請求項３】
２つ折りにしたメモ用紙やノートを挟んで保持するカバーであって、
２つ折りされるカバー本体のマチはカバー部材が２以上に重なっており、その重なったカバー部材の間で両端を接続された紐と、
その紐の２箇所を１箇所に束ねる紐留めと、
を設けたことを特徴とするメモ帳カバー。
【請求項４】
２つ折りにしたメモ用紙やノートを挟んで保持するカバーであって、
２つ折りされるカバー本体のマチはカバー部材が２以上に重なっており、その重なったカバー部材の間をマチに沿って通した紐と、
マチ上部から出ている紐と下部から出ている紐を１箇所に束ねる紐留めと、
を設けたことを特徴とするメモ帳カバー。
【請求項５】
２つ折りにしたメモ用紙やノートを挟んで保持するカバーであって、
２つ折りされるカバー本体のマチ下部に一端を固定された紐と、
そのマチ下部に固定された紐を通す紐留めであってマチ上部に固定されたものと、
を設けたことを特徴とするメモ帳カバー。
【請求項６】
紐留めがカバー本体と接する部分が、通された紐を軸とした任意の回転について回転対象性を持つ形状であることを特徴とする請求項１から請求項５のいずれか１項に記載されたメモ帳カバー。